(57)【要約】金属製ワイヤによる結束および解除を行うためのツールであって、耐久性を有する細長い本体を備え、上記細長い本体は、その端部の間に、少なくとも端部（２）を通って外部に開口している２つの管軸チャネル（１）を有し、当該細長い本体が反対側の端部から同軸ピン（６）まで延びていることを特徴とするツール。
2016522127.tif 000002
【特許請求の範囲】
【請求項１】
ワイヤによる結束および解除を行うための金属製または非金属製のツールであって、耐久性を有する細長い本体からなり、上記細長い本体は、その両端の間に、少なくとも１つの上記端部を通って外部に開口している２つの管軸チャネルを備え、上記細長い本体が、反対側の端部からより小さい断面を有する同軸ピンまで延びていることを特徴とするツール。
【請求項２】
上記２つの軸チャネルは、上記細長い本体の２つの端部を通じて開口していることを特徴とする請求項１に記載のツール。
【請求項３】
上記細長い本体は、縦方向に互いにくっついて結合された２つのチューブからなることを特徴とする請求項１に記載のツール。
【請求項４】
上記軸チャネルは、管状テーパー部の形で、上記同軸ピンの開始部分となる上記端部から延びることを特徴とする請求項１または２に記載のツール。
【請求項５】
上記細長い本体は、先細構造を有し、当該先細構造の端部でフタによって閉じており、当該フタの１つが少なくとも２つの入口穴を有していて、反対側の端部から、上記同軸ピンおよび上記管状テーパー部が突出していることを特徴とする請求項１に記載のツール。
【請求項６】
上記同軸ピンが配置されている端部とは反対側の端部において、上記細長い本体から突出している、フックの形の湾曲したアームを備えていることを特徴とする請求項１に記載のツール。
【発明の詳細な説明】
【発明の詳細な説明】
【０００１】
〔本発明の目的〕
本発明は、ワイヤによる結束および解除を行うための金属製および非金属製のツールに関する。本発明は、ワイヤや他の金属製の材料を使用した、あらゆる種類の構造に対する結束および解除を行うためのツールに関し、特に、結束または解除が効果的に行われるよう当該結束にねじりを加える必要がある場合に、ねじりを加える構造を正しく固定するため、またはその固定を解除するための、結束および解除を行うためのツールに関する。
【０００２】
本発明の目的は、上記結束および解除の対象となる構造に対して、手作業を最小限とし、迅速で、汎用性が高く、自律的、効率的、かつ効果的な方法で、特に、ワイヤまたは材料の固定、伸張、およびねじりを伴う作業において、結束および解除を行うことを可能とし、当該結束および解除において、その太さや硬さにかかわらず、あらゆるワイヤおよび他の材料を使用することができ、当該ワイヤおよび他の材料の太さや硬さが、効果的な、機械による手段の使用を妨げることなく、他のシステムでは解決できない状況の解決を可能とすることである。
【０００３】
したがって、本発明は、人間が作成したあらゆる種類の構造、および人間や自然に関わる構造の形成時に行われる結束および解除、そして、固定用材料の結束時および解除時に、当該固定用材料に対してねじりや締め付けを行う必要がある結束および解除の技術分野に属する。
【０００４】
〔背景技術〕
人間、および人間と自然の間で共生するものに関するあらゆる種類の構造に対して必須である結束が、近年、非常に重要になっていることはよく知られている。上記結束は、高品質の材料、通常はワイヤを用いて、迅速で、効率的、かつ耐久性のある方法で行うものとし、当該結束は、最大のねじりを加えることで、ワイヤを破損することなく、完全に固定される。上記結束の分かり易い例としては、ブドウ園棚において、Ｌ型の柱または９０度に曲がった柱を含むフェンスで囲まれた領域、木や植物用の個別の保護具としてのスパイクプロテクターで囲まれた領域、木の個別の保護具としての金属製ケージ型プロテクターで囲まれた領域、等の畜産業および農業に関連する要素の建設および／または修理のみならず、あらゆる種類の建造物の枠組みを構成する金属製の構造が挙げられ、園芸作業、施設内での家事、建物およびあらゆる種類の設備内での整備作業が挙げられ、さらに、他領域における結束の他の例も多い。結束の解除についても、上記の各領域において行う必要があり、たとえば、個別プロテクターまたはその一部を、次に新たな結束が必要となる別の木に後で設置するために、木から取り外す必要がある。
【０００５】
現在、複数の結束システムが知られているが、最初の結束システムは、手作業で結束を行うものである。この結束システムでは、最も一般的に使用される要素としてのワイヤが、固定の対象となる構造の各領域を通るようにし、その後、プライヤーやパンチ等の手工具を用いて、当該ワイヤの固定されていない端に対して固定を行い、操作者が手首を回して繰り返しねじりを加える。この場合、正しくねじりが加えられて固定されるように、当該ワイヤは、手工具を用いて、繰り返し緩められ、締め付けられる。結束の解除についても、上記手工具を用いて、最初に行った結束時とは反対方向に手工具を回転させて、締め付け、緩め、再度締め付けるという動作をこの作業に必要なだけ繰り返して行われる。新しい本発明が必要となる理由は、手工具を用いた作業は、面倒で、時間を要し、結束の品質が不十分な場合もあり、動きの反復や手工具による挟み込みに起因する作業中の事故や職業病、および結束の解除時の肉体疲労を引き起こすことがあり、その結果、いったん結束されたワイヤが直接切断されることがよくあり、材料が一方向またはもう一方向に所定回数加えられるねじりに耐えるまで、当該材料またはワイヤが、必要に応じて行われる別の新たな結束やその後の解除に役立たなくなってしまうためである。鉄筋結束機やブドウ園用結束機のような、ワイヤや他の材料を構造に対して固定するための、通常、材料またはワイヤコイルが組み込まれた市販の機械は多いが、非常に高価で、使用されるワイヤが非常に細く、多くの場合このような機械を使用することはできない。その理由の１つとして、単純に、上記機械では、Ｌ型柱、すなわち、９０度に曲がった柱のような特定の形状を有し、また、柱の一方または両方、あるいは構造の一面または両面にワイヤを通すための穴を備えた、手工具でのみ結束および解除を行うことできる柱または構造を固定することができないことが挙げられる。また、別の理由としては、上記材料またはワイヤが送り出され、対応する構造の固定する領域に機械によって送られる時に、当該材料またはワイヤが上記構造の一部にぶつかり、結束を妨げ、木用の個別プロテクターとして使用される金属製ケージの設置の場合に明らかであるが、電気溶接されたロッドによって残された開口部が小さいため、手作業でワイヤを通すしかなくなることが挙げられる。さらに、上記ワイヤを通すことができる場合であっても、通常、ワイヤは構造の一部の構成要素にぶつかるため、当該構造を正しく固定するために上記作業を複数回繰り返すことになる。これが、手作業による結束に使用されるワイヤや材料のようなより太いワイヤや材料を使用することができないため、上記自動システムで使用されるワイヤが非常に細くて微細である主な理由である。上記鉄筋結束機では、このような装置による結束または固定の対象となる構造に、機械によって高速で、より太いワイヤを通すことができないため、より細いワイヤを、結束の対象となる構造の周りに２、３回巻きつけることによって通す必要があり、そのため、上記機械用には太いワイヤのコイルは製造さえされていない。これに対して、より太いワイヤを用いた手作業による結束では、結束または固定の対象となる構造の周りにワイヤを１回巻きつけるだけでよい。上記細いワイヤを用いたワイヤ結束は、より太いワイヤを用いた手作業によるワイヤ結束と比較して強固でないことは明白である。その理由は、前者は、建造物の場合は、最終体を形成するコンクリートを後で流し込むために構造形態を一時的に保持できる、軽微な固定のみを目的としており、ブドウ園の場合は、ブドウの新芽や枝をケーブルに付けて、当該ブドウの新芽がその成長過程において所定の方向に伸びるようにする機能のみを有しているためである。これに対して、通常、牛、イノシシ、シカのような力の強い動物が体をこすりつけたり、倒したりする木用の電気溶接された個別の網状ケージ型プロテクターを形成する構造を結束するために、より細いワイヤが（可能な場合に）特に使用される場合、結束が強固でなく、当該プロテクターが何十年も保持されるため、効果的ではない。「スパイクプロテクター」といわれる、木用の個別プロテクターの場合、先端の尖った人工の茂みのようなものであるため、動物に押されることはないが、風や経年により、上記機械の構成要素を用いて行う上述のような弱い結束は解除され続けてしまう。さらに、このような機械装置における制約、不足となる重要な点として、あらゆる場合において、最初に行った結束を後で解除することができず、そのため、あらゆる場合において、元の結束の材料を新しい結束または別の用途に再利用することができないことが挙げられる。さらなる欠点および不足している重大な点としては、上記機械装置では、より太く、あらゆる用途、主に、フェンスや木用の個別プロテクターのための上述の畜産業および農業に関する用途に対してより信頼性の高いワイヤを用いた結束作業を自律的かつ汎用性高く実施することができないことが挙げられる。これは、上述の理由のためだけではなく、上記機械装置が高額であるためであり、そのため、限られた回数結束を行うためだけに上記機械装置を入手する意味がなく、上述のように、次に結束および解除（後者は可能な場合）は通常は手作業で行われる。その結果、鉄筋結束機およびブドウ新芽結束機は、上記領域に限定された作業専用に製造されており、いくつもの普遍的、一般的な状況が解決されないことになる。したがって、特定の場合毎に必要となる、あらゆる太さの市販のワイヤを用いたあらゆる種類の結束および解除を行うための、多目的で汎用性の高いツール形式のシステムからなる本発明が必要となる。また、機械ねじり運動生成手段を備えた、あるいは、人力によってまたは電源（電力網から、またはシステムに設けられたシステム自体の自律的な電源から直接供給される）によってねじり運動が行われる、結束および解除を行うための将来的に実現可能なシステムが必要となる。電源は、電力網（バッテリ）等から直接電力を供給される。当該電力は、太陽熱集熱器によって、または、上記システムを管理する操作者がリュックサック、ショルダーポーチ、ベルトポーチ等に入れて持ち運ぶバッテリや充電システムを含むその他の機器によって直接生成され、コードレスで、またはケーブルを介してシステムツールに電力が供給される。同様に、上記システムツールでは、電動スクリュードライバーや、上記システムツールに連結されるあらゆる種類のドリル等の、市販の力・運動生成ツールが使用され、この場合、力・運動生成ツールは力および運動をワイヤまたは材料に対するねじり力に変換する。鉄筋結束機やブドウ新芽結束機と比較して、力・運動生成ツールの多くはコードレスで非常に使い易く、はるかに軽量で、非常に安価であると同時に自律的であり、一般的にはるかに入手し易い。本明細書に示す上記システムツールは、上記機械運動生成装置の単なるスクリュードライバーまたは付属品とみなすことはできない。その理由の１つとして、上述のように、本システムは、当該システムに運動を供給する機械式ギアを備えることが可能で、上述の電源によって電力供給を受けることが挙げられる。別の理由としては、上記ドリルまたは付属品は、穿孔、穴あけ、切断、紙やすりによる研磨、研磨、斜め切断、その他多くの明確な機能を備えているが、いずれも、所望の構造を固定する、ワイヤまたは他の材料による結束および解除を完全に行うものではないことが挙げられる。さらに、上記ドリルや付属品は特定の機能１つのみを備えているのに対し、開示されている上記システムツールは、少なくとも３つの機能、すなわち、結束機能、解除機能、および結束時と解除時に優れた結束や解除を行うための、ワイヤまたは材料の保持機能を備えており、当該材料またはワイヤを摩耗なく再利用することが可能になる。したがって、まず、本発明により、操作者が手工具を使用して行う、手間や時間を要する、非効率な、手作業による結束および解除が回避される。また、本発明により、鉄筋結束機やブドウ新芽結束機では、必要な力、耐久性、効率性を伴う結束が実施できないまたは実施されない状況で結束を行い、鉄筋結束機やブドウ新芽結束機では実施できない、結束の解除を行うことが可能となり、必要なねじりを確保するために、上述の機械装置より安価で、入手し易く、軽量の力・運動生成ツールを上記システムに連結することできる。また、あらゆる場合において、上記結束は、使用する材料またはワイヤの太さと、回転運動によって得られるねじりの強度によって、はるかに強く耐久性があり、使用するワイヤまたは材料を破損する危険がなく、所望の大きさに合わせることができるため、可能な場合はより太い固定用材料またはワイヤが使用される。たとえば、木用の個別プロテクターを形成する電気溶接された網状ケージの設置において、対応する結束について、長時間、２人で約１５分を要するのに対し、本明細書で示す上記システムでは、同じ設置を完了するのに３分しかかからず、設置を行うのに１人しか必要でないことが分かっているため、操作者が手工具を用いて行う通常の結束および解除と比較して、生産性の向上や職業的リスクの排除が顕著である。何百万ものプロテクターが世界中に設置されており、スペインではここ３０年間に、約十万から数百万にまでプロテクターが設置され、当該プロテクターに対して、公簿に記載されているように、手工具を用いて結束が行われている。これは当該プロテクターの大部分が、ヨーロッパ共同体資金の交付を受けているか、出資を受けているものさえあるためである。一方、操作者の手首、腕、肩に対して繰り返される有害な運動が回避されるとともに、使用されるワイヤまたは材料の、固定やねじりの対象となる領域内に操作者の手が入ることがないため、ワイヤまたは手工具に操作者の手が挟まれる可能性が回避される。本発明は、この技術分野において非常に効率的かつ効果的であるため、非常に硬く簡単には融通が利かない太い鋼線を用いて結束や固定を行う場合であっても、現在、一般の操作者が手作業では（したがって、延性ワイヤを使用して）結束や固定を行うことができないものや、非常に細くて弱い鋼線しか使用できず、上記の特定の作業のみに使用される、鉄筋およびブドウ新芽結束用の現行の結束機では結束や固定を行うことができないものに対して、完全な仕上がりの状態で結束や固定を行う。
【０００６】
〔発明の説明〕
本発明によれば、上記ツールは耐久性を有する細長い本体からなり、当該細長い本体は、その両端の間に、少なくとも１つの上記端部を通って外部に開口している２つの管軸チャネルを備えており、両方の軸チャネルが両端部を通じて外部に向けて開口していてもよい。上記細長い本体は、一方の上記端部から、より小さい断面を有する同軸ピンに延びているのに対し、湾曲したアームがフックの形で反対側の端部から突出していてもよい。
【０００７】
上記細長い本体の２つの軸チャネルは、同軸ピンの開始部分である上記端部から、上記細長い本体の自由端において開いている管状テーパー部に延びていてもよい。
【０００８】
本明細書で開示する上記自律結束解除システムは、上述の問題を十分に解決し、好ましくは２本の金属製中空円筒状チューブの形式であるが、当該チューブは２本を上回っていてもよく、いかなる種類の素材で形成されていてもよいし、また、四角や三角等いかなる形状を有していてもよい。また、当該チューブの長さは約５ｃｍであるが、その特定の用途にしたがってこれより長くても短くてもよい。また、太さ０．５ｍｍのワイヤに対してチューブの直径は３ｍｍであるが、構造を固定する時に使用されるワイヤまたは材料の太さによって、上記直径はこれより長くても短くてもよい。
【０００９】
上記チューブは、チューブの構造全体にわたって、特に、固定または結束の対象となる構造に対するチューブの開始部分に、システムツールに導入されるワイヤまたは材料用の入口ともいえる切り欠きを有していても有していなくてもよい。その理由は、そうすることで、ワイヤが回転運動によってねじれる時に、ワイヤがチューブの開口部に残るという自然の傾向を越えて、ワイヤがワイヤのブレーキとなる上記切り欠きに入り、より質の高いねじりをもたらす傾向があり、優れた固定が実現されるためである。また、これらの切り欠きは、異なるモデルにおいて、固定時または結束時に生成される剛性の程度に応じて調整できる。
【００１０】
チューブのみを用いて行われる結束で使用されるワイヤと比較して、鋼成分が多く、太いワイヤを使用してより強力な結束を意図する場合に、結束の対象となる構造に対して上記チューブを向け、上記チューブに当該構造を付けて、１つまたは複数のフックを取り付けることができる（フックは上記の場合に使用されるシステムツールの付属品であるため）。上記フックは、先細であっても先細でなくてもよく、いかなる幾何学的形状を有していても、いかなるサイズや素材であってもよい。当該フックのチューブに対する配置は、フックによって結び目およびタニケット（止血帯）型にねじられる正確な瞬間によって、所望の通り行うことができるが、静止時に上記両チューブ（２本の場合。３本以上の場合はその大部分）が形成する水平軸の垂直位置に配置するのが好ましい。上記１つまたは複数のフックの目的は、所望の圧力を加えて上記構造を強固かつ適切に固定するために、最後の結び目またはタニケットを生成することである。チューブにより形成された初期の結び目によって、フックにより結び目自体の結び目またはタニケットが生成される。その理由は、フックがこの生成を行うには、当該ワイヤまたは材料が通る時に、同じ回転運動、同じ方向において、チューブによって初期に生成されるもの、すなわち初期の結び目および二次的な結び目またはタニケットによって、当該ワイヤまたは材料が完全に囲まれている必要があるからである。最後に、チューブに最初に挿入されたワイヤが、ワイヤ自体の結び目、およびフックによって二次的にできる結び目の作用により、チューブから出るため、上記タニケットが所望の圧力に調整されると、タニケットによって形成されるワイヤリングから上記フックを取り出すことにより、次の操作に対する準備が整った状態で、システム全体が容易に取り除かれる。この場合、結束には２つの結び目が含まれる。１つ目は、チューブの作用の結果得られる結び目である。２つ目は、フックによって生成されるタニケットの結果得られるより強力な結び目であり、本明細書で分析するシステムや機械によって生成される他のいかなる結び目と比較しても、またチューブのみによって生成される結び目と比較しても、はるかに強く耐久性がある。その意味で、本システムは、２つ目の結び目またはタニケットが生成される時点で、チューブによって生成され、強固なタニケットを生成するためだけに使用される１つ目の結び目の結束解除を開始するように自在に構成することができる。同様に、本システムで生成される結び目またはタニケットは、鉄筋結束機で生成されたものであっても、タニケットを作成する時に残る円形溝にフックを保持するだけで、希望や必要に応じて後でさらに結束される。同様に、本システムを使用して最初に行った結束、または手作業で最初に行った結束を、鉄筋結束機等の他の機械を用いて解除しようとする場合、材料またはワイヤを再生する希望がない点を考慮すると、タニケット状の結束によってできるワイヤリング、または手作業での結束によってできる隙間にフックを通すためには、最初に行った結束と同じねじり方向により圧力を加えれば十分なはずである。材料またはワイヤは破損してしまうが、フックが挿入された溝に残るくずは、結束の対象となった構造から完全に、非常に簡単に取り除かれる。そのため、本システムによって、他のシステムでは実施できない上記作業を、プライヤーまたはパンチを用いて手作業で結束を切断するよりもはるかに迅速かつ安全に行うことができる。結束の解除についても、同じ手順で、上記システムツールを最初に行った結束とは反対方向に回転させることで実施することができ、希望する場合は材料またはワイヤを再利用することができる。
【００１１】
上記フックは、特定の場合毎のユーザの希望に応じて使用しても使用しなくてもよい、上記システムツールの一部であるため、取り外し可能であってもよい。または、結束が必要であるが、それほど強固である必要がない場合には、上述のようにシステムツール自体に２本以上のチューブを備えた構成で、上記システムツールをフックなしで製造してもよい。同様に、上記システムツールは、特に、極めて太く、鋼成分が非常に多いワイヤまたは材料を用いて構造を固定するために、固定式のフックを備えた状態で製造してもよい。最後に、フックによって、上記ツールを初期の結び目に連結させ、最初に行った結束時と反対方向にツールを回転させることにより、後で行う結束解除が可能となる。２つ以上のフックを使用する場合は、一部のフックは他のフックと比較して、高さが高かったり、太かったり、配置される角度が異なったりしており、フックが互いにくっついていてもよく、フック間に離れている部分があってもなくてもよい。そのため、フックは、固定するワイヤまたは材料をより良く固定することができ、使用するすべてのフックのうち１つのみを結び目またはタニケットから取り出す必要がある、最適な結束および解除を行うことができる。
【００１２】
上記チューブは、２本の場合も２本以上の場合も互いにくっついている、そして、当該チューブは、長さ約７ｃｍ、太さ約８ｍｍの金属製中実円筒棒状の回転軸に取り付けられているが、当該回転軸の材質、長さ、太さ、幾何学的形状は問わない。その理由は、当該回転軸の目的は、本発明を、本システムツールが使用する、ねじりを加えることによって結び目およびタニケットを生成する、いかなる力および／または生成システム（システムツール自体のもの、特別に設計されたもの、または他領域用の市販のもの）に対しても連結可能とすることであるためである。上記チューブは、上記軸に対して平行に結合され（チューブが２本の場合は、通常通り）、次に、水平面上に傾斜０度で配置される。または、上記チューブは、ワイヤを受ける、当該軸に取り付けられているのとは反対側の開始部分において、チューブの一部全体、またはチューブの全長にわたって巻型であっても、異なる複数の角度で回転させることができる。これにより、チューブに挿入されたワイヤの張力効果、および動きを加える時の結束におけるねじれ効果が向上する。結束されるワイヤまたは材料を保持する中空チューブを特徴とする本システムは、パンチやワイヤクランプ等の他のツールと比較して、はるかに迅速でより機敏である。その理由は、ワイヤを中空チューブ内に収めるのは容易であるのに対し、パンチやワイヤクランプで中空チューブを保持するのはより困難で時間を要し、保持や固定を行う時に十分な力が加えられない場合は信頼性が低下するためであり、また、上記中空チューブシステム（フック付きまたはフックなし）とは異なり、業務上の事故の危険があるためである。しかしながら、本システムツールの最も重要な特質はワイヤまたは材料のねじりに基づくものであると同時に、同じ回転運動時における、チューブの開口部へのワイヤまたは材料の導入時にワイヤまたは材料が容易に挿入される、上記システムから出るワイヤまたは材料に対する耐久力の付与であるため、上記中空チューブは、その固定する機能を迅速に強化するために、上記の解決策を本システムの一部としてさらに利用することができる。これにより、操作者が手作業で、あるいは鉄筋結束機やブドウ園用結束機では行うことができない場合に、上記システムツールは、同じ回転ねじり運動時に、同時に、２本または２本以上のワイヤまたは他の材料を用いた結束および解除を行うことができ、優れた固定または結束をもたらす、あらかじめ編んであるワイヤを用いた結束および解除を極めて容易に行うことができる。
【００１３】
ワイヤの２つまたは２つ以上の端部は、チューブの２つまたは２つ以上の端部に挿入され、ワイヤは、何らかの適切な方法によって、固定または結束の対象となる構造の領域のそばをすでに通っている。フックが使用される場合には、ワイヤは当該フックを通り過ぎ、各ワイヤがフックの各外側を通り、固定されるワイヤまたは材料の間に上記フックが残る。
【００１４】
上記中空チューブの内部は、ざらざらの状態であっても、または溝付きであってもよく、その結果、ワイヤに張力を与えるために、対応する結束を形成するワイヤのねじりをもたらす動きを加える、またはフックを使用する場合に最初の結束をもたらす動きを加えることによって、チューブから出るワイヤの抵抗が高まる。そのため、より強力で完全な結束および固定が行われ、結束を行うための最初の回転に対して反対方向に回転が行われる、その後の結束解除時に同じ機能が実施される。ただし、上記チューブの内部は滑らかであってもよい。さらに、上記チューブは、全体的または部分的に、ランダムまたは規則的に、小さなロッド、プレート、またはねじのそばを通ってもよいが、チューブ全体にわたって、それらの間に隙間を有している。その目的は、上記の場合において、システムの回転運動によってもたらされるねじれが当該回転運動の軸によって加えられ、軸が受けるエネルギーが軸によってワイヤまたは材料に対するねじりに変換される時に、ワイヤまたは使用されている材料の自然な動きに所定の抵抗を加えてワイヤまたは材料がチューブから出るようにし、そしてこれにより、ワイヤを張り、それによってより強力で完全な結束または固定を行うことである。同じ意味で、チューブの先細仕上げのような、チューブ内のワイヤを保持および／または伸張するために使用できる方策やシステムも数多く存在する。たとえば、ワイヤまたは材料に張力またはねじりを加える時にワイヤまたは材料が出るのを防ぐ、チューブの先細仕上げでは、チューブのもう一方の端部に結び目またはタニケットを形成する。当該結び目またはタニケットの形成は、回転運動自体のみによって、または作動させるチューブにワイヤおよび／または材料を導入することによって作動する、あらゆる種類の端部トラップクランプを使用して、そして、チューブ内に配置された磁石による、あるいはワイヤまたは金属製材料が出るのを防ぐ磁化による、回転運動の遠心力の作用によってワイヤまたは材料をチューブの内壁に対して保持および／または伸張するチューブ内の固体を使用して行われる。これにより、一旦チューブを通ったワイヤまたは材料をチューブの端部において手動パンチを用いて証明する。つまり、適切なねじりを加えるためにチューブ内に収容された材料またはワイヤを止め、保持し、および／または伸張し、結び目またはタニケットを生成するするいかなるシステムまたはギアも上記例の一つとして挙げられる。
【００１５】
しかしながら、実施される検査を考慮すると、時間、材料、原料資材、簡易な構造、動きの効率、結束および解除の精度、異なるタイプの結束および固定に対する汎用性に関して好ましい最適な実施形態は、互いにくっついている、その回転軸に対する高さが同じ２つの金属製中空円筒状チューブであり、固定されるワイヤまたは材料への入口として使用される、チューブの切り欠きまたは穴の環状壁を特徴とする２つの金属製中空円筒状チューブとして示される。チューブ前側にはＬ型の円錐状フックが数ｃｍ離して取り付けられていて、チューブの下方の底部から９０度の角度で垂直に延び、中空チューブのワイヤ用入口開口部に面している。上述のように、上記フックは、意図する結束または固定の種類、および使用するワイヤまたは材料の太さや硬さに応じて、システムから取り外してもよい。最後に、チューブのもう一方の端部は、先細の中空部を有する漏斗のような形状を有する。当該チューブは、当該端部で、機械または手作業による何らかの方法で回転運動を行う、本明細書のシステムツールに連結される、金属製円筒状中実軸に取り付けられる。
【００１６】
〔図面の説明〕
本発明の好ましい実施形態にしたがって、本明細書を実施するため、また、本発明の特徴をよりよく理解するため、本発明の目的に基づいて製造された自律結束・解除システムの全体像を概略的に示す図面１枚を、限定ではなく説明の目的で、本記載の一部として添付する。
【００１７】
〔発明を実施するための好ましい形態〕
図１および図２の各実施形態において、本発明のツールは、その全長にわたって互いにくっついている２本のチューブ（１）を含んでいてもよい細長い本体からなる。チューブは、その一方の断面が、穴（３）を有するフタによって閉じている。チューブ（１）の内面はざらざらした状態であってもよい。チューブ（１）は、その反対側において、出口（５）に通じる漏斗の形状の分岐した突部（１´）となっている。
【００１８】
上記突部（１´）間において、小さい方の断面のピン（６）が突出しており、図１に示すように、反対側に、湾曲したアーム（４）がフックの形で突出していてもよく、このフックによってさらなるねじりの実現が可能となる。
【００１９】
上述のツールによって金属による結束のねじりを行うために、結束を形成するワイヤの端部が出口（５）から突出するまで穴（３）を通じて導入される。本ツールは、ピン（６）により、ドリル、スクリュードライバー等の回転駆動装置に、機械によってまたは手作業で接続され、結束する端部に対してねじりを加え、その後、当該ツールは取り除いても、取り外してもよい。
【００２０】
同様に、上記ツールは、逆回転により、金属による結束を解除したり、緩めたりするために使用することができる。
【００２１】
さらなる可能な実施形態において、上記ツールを形成する本体は、一方の端部から始まる２つの管軸チャネルを有する固体であってもよく、当該２つの管軸チャネルが反対側の端部に通じていても、通じていなくてもよい。
【００２２】
細長い本体は、底部が閉じていて、少なくとも１つの底部に金属による結束の端部を導入するための開口部を有する先細構造を備えていてもよい。
【００２３】
いかなる場合においても、上記ツールは、突部（１´）を有していなくてもよく、フック（４）が取り外し可能であってもよい。または、図２に示すように、ツールはフック（４）を有していなくてもよい。
【図面の簡単な説明】
【００２４】
【図１】本発明の実施形態を示す図である。
【図２】本発明の実施形態を示す図である。
【図１】
2016522127.tif 000003
【図２】
2016522127.tif 000004
【国際調査報告】
2016522127.tif 000005
2016522127.tif 000006
2016522127.tif 000007
2016522127.tif 000008